(57)【特許請求の範囲】
【請求項１】
コンクリート型枠の外面に面接触で当接する水平鍔部を中空膨出部周囲に形成した略戴頭状体であり、水平鍔部の外縁部の一部を直線状部に形成し、該略戴頭状体の直線状部寄りに位置する偏心位置に、中空膨出部の頂部から下方に向けて傾斜する陥没部を形成し、該陥没部の底板にコンクリート型枠間に架設する連結杆の端部またはその延長部の貫通孔を設けたことを特徴とするコンクリート型枠支保治具。
【請求項２】
水平鍔部は陥没部底板と同一平面上で連続する請求項１記載のコンクリート型枠支保治具。
【発明の詳細な説明】
【０００１】
【発明の属する技術分野】
本発明は、コンクリート型枠を担持するコンクリート型枠支保治具に関するものである。
【０００２】
【従来の技術】
従来、コンクリート型枠の担持（支保）具として、図１０に示すようなものが知られている。図中１は合板型枠であり、対峙して配置された合板型枠１の押さえとして単管による縦・横のバタパイプ２，３が格子状に組まれて配設され、合板型枠１間に架設される連結杆たるセパレータ４の端部にＰコン等の係止具５を介してまたは座金付きのフォームタイ（岡部株式会社の登録商標）６を螺子する。
【０００３】
このフォームタイ６が合板型枠１の外側においてバタパイプ２，３間から外方へ突出するものであり、横のバタパイプ３に係合する三型リブ座７をフォームタイ６に取り付け、ナット８で締結する。
【０００４】
このようにしてフォームタイ６のナット８を締め付けると、三型リブ座７に係止された横のバタパイプ３が合板型枠１に向かって押圧され、この横のバタパイプ３により押圧された縦のバタパイプ２が合板型枠１の外面に圧接されてコンクリート型枠が担持される。
【０００５】
前述のように構成された従来のコンクリート型枠の担持具により担持されたコンクリート型枠にあっては、係止具５とフォームタイ６間に挟持されて担持されている合板型枠１の面積が極めて狭いために、合板型枠１の外壁面に対して縦、横方向に多数のバタパイプ２，３を配置し、合板型枠１の外壁面に多数のバタパイプ２，３を当接させてこのパイプにより合板型枠１に作用する側圧を分散し得るように構成している。
【０００６】
そのため多量のバタパイプ２，３を使用する必要があり、運搬、設置に多大な労力と費用を費やす必要がある他、保管・管理にも広大な場所と労力を必要とする。
【０００７】
これに対して使用されるパイプ（バタパイプ）の本数を減らすことができるものとして、実用新案登録第１９０５３９８号（実公平３−２９４７１号公報）のコンクリート打込用型枠の支持具や特開平１１−１９０１２７号公報のコンクリート型枠担持具が提案されている。
【０００８】
実用新案登録第１９０５３９８号（実公平３−２９４７１号公報）のコンクリート打込用型枠の支持具は図１１、図１２に示すように、一辺１２ｃｍの正方形の平坦な頂面１２ａを有しその周囲から直角に突出する側周面１２ｂを形成することにより断面コ状の筐体１３を形成し、前記側周面１２ｂの開放端面に１辺３０ｃｍの正方形の座板１４を筐体１３の頂面１２ａの中心と、座板１４の中心とが一致するように接着、溶接その他適宜の手段により固定し、前記筐体１３の側周面１２ｂの外方に延在するフランジ部１５を形成する。前記筐体１３の立上がり隅部１２ｃから座板１４のフランジ部１５の直角隅部１４ａにわたりリブ１６，１６，１６，１６を設ける。
【０００９】
又は、筐体１３の頂面１２ａの中心、或いはその付近にフォームタイ挿通孔１７を形成する。又座板１４の筐体１３の側周面１２ｂ内に位置する部分であって、前記フォームタイ挿通孔１７と対応する位置にフォームタイ挿通孔１８を設ける。筐体１３の側周面１２ｂの１箇所または複数箇所にフォームタイ調節具挿入孔１９を設ける。前記フォームタイ調節具挿入孔１９の大きさは、外部からフォームタイ調節具を挿入し、作動可能な大きさとする。
【００１０】
型枠組み立てに際しては、表側のパネル状型枠Ａの所期位置に当てフォームタイ６を支持具１１の筐体１３の頂面１２ａのフォームタイ挿通孔１７、座板１４のフォームタイ挿通孔１８、表面のパネル状型枠Ａ、裏側のパネル状型枠Ｂを貫通し、パネル状型枠Ｂの裏面において、フォームタイ６の他端にＰコン等の係止具５を取り付ける。
【００１１】
フォームタイ６の一端を、支持具１１の筐体１３の頂面１２ａから突出させ、これに三型リブ座７を螺合する。前記三型リブ座７の裏面と前記頂面１２ａとの間に上下平行にバタパイプ２を当て、フォームタイ調節具挿入孔１９からフォームタイ調節具を挿入し、フォームタイ６を回動することにより三型リブ座７と筐体１３の頂面１２ａとによりバタパイプ２を挟圧支持し、かつ表裏のパネル状型枠Ａ，Ｂを所定間隔を保持して平行に支持する。
【００１２】
左右両端のパネル状型枠Ａ，Ｂ，Ａ，Ｂ間のパネル状型枠Ａ，Ｂのうちパネル状型枠Ａの外面に位置させた支持具１１を、その筐体１３の頂面１２ａのフォームタイ挿通孔１７が前記頂面１２ａに接するバタパイプ２間に現れるようにし、前記同様に表裏のパネル状型枠Ａ，Ｂを貫通してフォームタイ６を取付けフォームタイ挿通孔１７より突出するフォームタイ６の一端から三型リブ座７を螺挿し、バタパイプ２を筐体１３の頂面１２ａに圧接する。このようにして横方向に位置する各パネル状型枠の支持具１１は水平方向に一直線状に取付けられる。８はナットである。
【００１３】
特開平１１−１９０１２７号公報のコンクリート型枠担持具は、図１３に示すように、対峙して配置される合板型枠１間に架設される連結杆たるセパレータ４と、前記セパレータ４の両端側に取り付けられ、合板型枠１の内壁面に当接して合板型枠１間の間隔を規制する係止具５と、前記合板型枠１の外壁面側より前記係止具５の取り付けられたセパレータ４の両端に連結され、前記係止具５との間で合板型枠１を固定する固定具であるフォームタイ６を備えたコンクリート型枠の担持具において、前記セパレータ４の少なくとも一端に取り付けられた係止具５より突出し、前記フォームタイ６と連結される軸足２０（前記セパレータ４の端部に形成されるものを含む）と、前記軸足２０に装着される支持具２１を備える。
【００１４】
前記支持具２１は、上面中央に前記軸足２０が挿通される開孔２２を備えた略載頭円錐状又は略円筒状を成すカップ状部２３と、前記カップ状部２３の開口周縁から円周方向に突出する鍔部２４を備える。
【００１５】
また、前記支持具２１は、カップ状部２３の上面２５の中央を前記フォームタイ６の挿入可能な大きさでカップ状部２３の開口方向に陥没させて形成された陥没部２６を備える。前記陥没部２６の底面２６′を、前記カップ状部２３の開口周縁より突出する鍔部２４の先端位置よりもカップ状部２３の上面２５よりに配置する。
【００１６】
合板型枠１の外壁面側に配置された縦又は横のパイプ２７，２８又は所定長の木材杆、例えばさん木２７′，２８′として用いられる木材と共に合板型枠１を担持する場合にあっては、フォームタイ６を使用し、縦横両方向共にパイプ２７，２８を用いる場合には縦又は横のパイプ２７，２８、縦横両方向共に木材杆であるさん木２７′，２８′を用いる場合には縦又は横のさん木２７′，２８′、縦方向にパイプ２７、横方向に木材杆であるさん木２８′を使用する場合には、縦方向のパイプ２７又は横方向のさん木２８′、縦方向に木材杆たるさん木２７′、横方向にパイプ２８を使用する場合にあつては縦方向のさん木２７′又は横方向のパイプ２８を前記フォームタイ６で固定して、前記縦又は横のパイプ２７，２８又はさん木２７′，２８′を合板型枠１の外壁面に押圧して固定する。
【００１７】
したがって、このフォームタイ６は前記縦又は横のパイプ２７，２８またはさん木２８′を合板型枠１の外壁面に押圧して固定する手段を備える。この縦又は横のパイプ２７，２８又はさん木２７′，２８′を合板型枠１の外壁面に押圧して固定する手段は、一端に前記軸足２０が螺合されるねじ孔が形成され、外周に雄ねじの形成されたフォームタイ６と、前記フォームタイ６の外周に螺合されるナット８と、フォームタイ６に装着され、ナット８の締め付けにより合板型枠１に向かって押圧されて前記支持具２１との間で前記パイプ２８又はさん木２８′を挟持固定する三型リブ座７を備える。
【００１８】
前記の支持具２１の鍔部２４は、合板型枠１の外壁面方向に傾斜する形成とする。
【００１９】
ところで、前記実用新案登録第１９０５３９８号（実公平３−２９４７１号公報）のコンクリート打込用型枠の支持具は、相互に重ね合わせることができず、収納に場所を取り、また、運搬にも難がある。
【００２０】
さらに、フォームタイの結合は筺体１３の側周面１２ｂに形成したフォームタイ調節具挿入孔１９からフォームタイ調節具を挿入して回動しなければならず、極めて面倒な作業となる。
【００２１】
一方、特開平１１−１９０１２７号公報のコンクリート型枠担持具は、合板型枠１や押さえ板３０の外壁面に押圧するために当接するのは、図１３示すように支持具２１の鍔部２４の外周線の部分のみであり、いわゆる線接触である。
【００２２】
鍔部２４は、カップ状部２３の開口周縁から鍔部２４の周縁に向かって断面八の字状にその間隔を広げる傾斜状に形成されており、該支持具２１の鍔部２４の周縁が合板型枠１や押さえ板３０に押圧された際に該鍔部２４が弾性変形し、これらの表面に均一かつ確実に圧接し得るよう構成されているもので、支持具２１自体には合板型枠１や押さえ板３０の外壁面を押さえ込みという作用に乏しく、縦のパイプ２８又はさん木２８′の代用にはならない。
【００２３】
そこで、コンクリート型枠を担持する治具として、収納や運搬時には相互に重ね合わせることができるので場所を取らないですみ、また、型枠への当接面積を広く確保することで、型枠を押さえる範囲が広くなり、縦または横のバタパイプを激減させることができるコンクリート型枠支保治具を出願人は特願平２０００−３５５６８３として先に出願した。
【００２４】
これは、コンクリート型枠の外面に面接触で当接する水平鍔部３１をドーム部３２周囲に形成した金属製帽子状体３３であり、ドーム部３２は頂部から内方に向けての陥没部３４を形成し、さらに、水平鍔部３１に脹出溝条による補強リブ３７を放射状に配列し、この陥没部３４の底板３５にはコンクリート型枠間に架設する連結杆端部またはその延長部の貫通孔３８を設けたものである。
【００２５】
これによれば、金属製帽子状体３３のドーム部３２周囲に形成した水平鍔部３１はコンクリート型枠の外面に面接触で当接するものであり、コンクリート型枠はこの水平鍔部３１全体で外側から押さえることができ、広い範囲で押さえられるので、縦または横のバタパイプのいずれか一方を激減させることができる。
【００２６】
しかも、水平鍔部３１は補強リブ３７を放射状に配列することで強度のあるものとなり、コンクリート型枠を面接触で押圧するのに適する。さらに、この補強リブ３７は脹出溝条によるものなので大きく突出することがなく、金属製帽子状体３３相互を重ね合わせることに支障がない。
【００２７】
また、金属製帽子状体３３のドーム部３２には陥没部３４を形成し、この陥没部３４の底板３５にはコンクリート型枠間に架設する連結杆の端部またはその延長部の貫通孔３８を設けたので、図１５に示すようにフォームタイ６はこの陥没部３４に外側から差し入れて面倒な手間なしに連結杆としてのセパレータ４に直接または間接に結合させることができる。
【００２８】
【発明が解決しようとする課題】
図７、図８に示すような柱の合板型枠１に使用する場合は、合板型枠１同士が端部で直角に組み合わされるため、セパレータ４を、出来るかぎり前記直角に組み合わされた角部寄りの端部近傍に配置しないと、合板型枠１内に打設したコンクリートの側圧によって合板型枠１の端部が変形して直交した合板型枠１のパネル間に隙間が生じてコンクリート打設時にコンクリート漏れを起こすおそれがある。
【００２９】
かかる不都合を解消するには、セパレータ４を合板型枠１のパネルの角部寄りの端部近傍に配置すればよいが、前記特願平２０００−３５５６８３のコンクリート型枠支持治具を使用した場合には、コンクリート型枠支保治具が平面円形の金属製帽子状体３３に形成してあり、コンクリート型枠間に架設するセパレータ４の貫通孔３８が金属製帽子状体３３の中心に位置しているため、コンクリート型枠支保治具を合板型枠１のパネルのできる限り角部寄りに配置した場合であっても、貫通孔３８の位置は金属製帽子状体３３の半径分の長さだけ端部から離れた箇所となり、端部から離れた位置に配置されることになってしまう。
【００３０】
その結果、セパレータ４が合板型枠１のパネルの端部から離れた位置に配置されることになり、合板型枠１のパネルの端部に対して十分な締結力を与えることが困難となり、パネル端部の変形を確実に抑えることが難しくコンクリート漏れのおそれがある。
【００３１】
また、図８に示すような鉄骨鉄筋コンクリート造の柱型枠の場合、鉄骨をさけて鉄骨の外側にセパレータ４を配置するには、セパレータ４は合板型枠１のパネルの端部寄りに配置する必要があるが、前記特願平２０００−３５５６８３のものを使用した場合には、前記と同様の理由によって貫通孔38位置が端部から離れた位置に配置されることになってしまうため、セパレータ４を合板型枠１のパネルの端部近くに配置することが困難である。
【００３２】
本発明の目的は前記従来例の不都合を解消し、コンクリート型枠間をコンクリート型枠支保治具を介してセパレータで連結する場合に、型枠パネルの端部近傍にセパレータを配置することができ、これにより、柱型枠に実施した場合でも直交する型枠パネル端部のコンクリート側圧による変形を防止でき、コンクリート漏れを防ぐことができ、また、鉄骨鉄筋コンクリート造の柱型枠の場合、鉄骨をさけて鉄骨の外側にセパレータ４を配置することも可能なコンクリート型枠支保治具を提供することにある。
【００３３】
【課題を解決するための手段】
本発明は前記目的を達成するため、第１に、コンクリート型枠の外面に面接触で当接する水平鍔部を中空膨出部周囲に形成した略戴頭状体（鍔部を有する帽子状体）であり、水平鍔部の外縁部の一部を直線状部に形成し、該略戴頭状体の直線状部寄りに位置する偏心位置に、中空膨出部の頂部から下方に向けて傾斜する陥没部を形成し、該陥没部の底板にコンクリート型枠間に架設する連結杆の端部またはその延長部の貫通孔を設けたこと、第２に、水平鍔部は陥没部底板と同一平面上で連続することを要旨とするものである。
【００３４】
請求項１記載の本発明によれば、水平鍔部の外縁部の一部に形成した直線状部を型枠パネルの端部に配置すれば、直線状部がここに配設されている桟木に当接または近接する。これにより、コンクリート型枠間に架設する連結杆の端部またはその延長部の貫通孔も型枠パネルの端部近傍に位置し、柱型枠に実施した場合に、型枠パネルの直交端部の近傍に連結杆を配置することができ、型枠パネル端部のコンクリート側圧による変形を防止できる。
【００３５】
請求項２記載の本発明によれば、前記作用に加えて、水平鍔部は陥没部底板と同一平面上で連続するから、型枠支持治具がコンクリート型枠の外面に広い面積で面接触することになり、広い範囲で型枠を押さえることができる。
【００３６】
【発明の実施の形態】
以下、図面について本発明の実施の形態を詳細に説明する。図１は本発明のコンクリート型枠支保治具の実施形態を示す平面図、図２は同上正面図、図３は同上縦断側面図で、本発明のコンクリート型枠支保治具は、コンクリート型枠である合板型枠１の外面に面接触で当接し、外縁部の一部を直線状部43とした外形半円リング状の水平鍔部４１を中空膨出部４２の周囲に形成した金属製の略戴頭状体（鍔部を有する帽子状体）である。金属製材料としては銅製、ステンレス製、アルミニウム合金製などが採用し得る。
【００３７】
中空膨出部４２は、断面三角山形の約180 度の円弧状に形成し、前記直線状部43寄りに位置する偏心位置に、中空膨出部４２の頂部から下方に向けて傾斜する傾斜部に連続させて陥没部４４を水平鍔部４１と同一平面上で連続するように水平面状に形成し、該陥没部４４の底板に合板型枠１間に架設する連結杆としてのセパレータ４の端部またはその延長部の貫通孔３８を設けた。
【００３８】
水平鍔部41の外周縁は巻きリブ３６に形成し、中空膨出部４２の頂部からこの水平鍔部４１の外周縁および陥没部４４に向けて膨出溝状による補強リブ３７を適宜間隔で複数（図示の例では４本）放射状に配列した。
【００３９】
次に使用法を図４〜図６について説明する。図７、図８に示すようにコンクリート柱型枠の場合、合板型枠１は方形に組み合わされ、隣接する型枠パネルは相互に直交するようにＴ字形に突き合わされ、直角を保持するために型枠パネルとバタパイプ３との間には桟木４５が介在される。
【００４０】
合板型枠１間には連結杆たるセパレータ４と、前記セパレータ４の両端に取り付けられる合板型枠１の内壁面に当接して合板型枠１間の間隔を規制して合板型枠１間の間隔を一定に保つ既知の座金、Ｐコン、ハリＰコン等の係止具５とが配設される。さらに、軸足46が前記係止具５の一端より突出し、後述の固定具であるフォームタイ６に連結されるように設けられる。この軸足４６は係止具５と一体不可分のものでも、または螺合して分離可能なものでもよい。
【００４１】
前記略戴頭状体は、軸足46またはセパレータ４に直接装着されるものとして、図７に示すように合板型枠１の外側面に適宜間隔で配置し、その際、水平鍔部４１および陥没部44が合板型枠１の外側面に当接する。
【００４２】
また、直交して組合わさる合板型枠１の型枠パネル同士の角部近傍に配置される略戴頭状体は、図４、図６に示すように水平鍔部４１の直線状部４３が桟木４５と当接する。これにより、略戴頭状体の取付が容易になるだけでなく、安定した状態に取り付けられる。また、陥没部４４に設けた貫通孔３８も桟木４５の近傍に配置されることになる。
【００４３】
このようにして軸足４６に略戴頭状体を装着した後、陥没部４４に設けた貫通孔38から出る軸足４６の後端にさらに固定具であるフォームタイ６を連結する。そして、フォームタイ６と、このフォームタイ６に装着され、横のバタパイプ３に向かって押圧されて略戴頭状体との間でバタパイプ３を挟持する押圧金具である三型リブ座７と、前記フォームタイ６の外周に螺合されるナット８で全体を締結する。
【００４４】
フォームタイ６に装着される三型リブ座７は横のバタパイプ３の外周よりも若干大きめに形成された切欠円弧状の係止部が形成され、フォームタイ６の外周に形成された雄ネジに螺合されたナット８の締めつけにより合板型枠１側に押圧されて横のバタパイプ３が固定される。
【００４５】
この状態で、フォームタイ６やセパレータ４で、直交して組合わさる合板型枠１の型枠パネル同士の角部近傍に配置されたものは、隣接して直交する合板型枠１同士を直交状態を保持して所定位置に固定するから、その後のコンクリート打設時にコンクリート側圧により型枠パネルの端部が変形することがない。
【００４６】
前記実施形態では、略戴頭状体の外形形状を平面半円形状としたが、これに限定されるものではなく、外縁部の一部を直線状部43とするものであればよく、図９に示すように、略台形形状とすることもできる。
【００４７】
【発明の効果】
以上述べたように本発明のコンクリート型枠支保治具は、コンクリート型枠を担持する治具として、セパレータで型枠間を連結する場合に、型枠を構成するパネルの端部近傍にセパレータを配置することができ、これにより、柱型枠に実施した場合でも直交する型枠パネル端部のコンクリート側圧によるパネル変形を防止でき、パネル間に隙間が生じてコンクリート打設時にコンクリート漏れが発生することを防止でき、また、鉄骨鉄筋コンクリート造の柱型枠の場合、鉄骨をさけて鉄骨の外側にセパレータ４を配置することも可能なものである。
【００４８】
さらに、コンクリート型枠支保治具に形成した外縁の直線状部が桟木に当接するから、取付が容易であるだけでなく、取付姿が安定するものである。
【図面の簡単な説明】
【図１】本発明のコンクリート型枠支保治具の第１実施形態を示す平面図である。
【図２】本発明のコンクリート型枠支保治具の第１実施形態を示す正面図である。
【図３】本発明のコンクリート型枠支保治具の第１実施形態を示す縦断側面図である。
【図４】本発明のコンクリート型枠支保治具の第１実施形態の使用状態を示す正面である。
【図５】本発明のコンクリート型枠支保治具の第１実施形態の使用状態を示す縦断側面図である。
【図６】本発明のコンクリート型枠支保治具の第１実施形態の使用状態を示す横断平面図である。
【図７】本発明のコンクリート型枠支保治具の第１実施形態の使用状態を示す平面図である。
【図８】本発明のコンクリート型枠支保治具が実施される鉄骨鉄筋コンクリート柱型枠の斜視図である。
【図９】本発明のコンクリート型枠支保治具の第２実施形態の使用状態を示す正面図である。
【図１０】型枠支保工の説明図である。
【図１１】第１の従来例を示す平面図である。
【図１２】第１の従来例を示す縦断正面図である。
【図１３】第２の従来例を示す縦断正面図である。
【図１４】先に提案したコンクリート型枠支保治具の縦断正面図である。
【図１５】先に提案したコンクリート型枠支保治具の使用状態の縦断正面図である。
【符号の説明】
１…合板型枠                      ２，３…バタパイプ
４…セパレータ                    ５…係止具
６…フォームタイ                  ６ａ…脚部フランジ
７…三型リブ座                    ８…ナット
１１…支持具
１２ａ…頂面                      １２ｂ…側周面
１２ｃ…隅部                      １３…筐体
１４…座板                        １４ａ…直角隅部
１５…フランジ部                  １６…リブ
１７，１８…フォームタイ挿通孔    １９…フォームタイ調節具挿入孔
２０…軸足                        ２１…支持具
２２…開孔                        ２３…カップ状部
２４…鍔部                        ２５…上面
２６…陥没部                      ２６′…底面
２７，２８…パイプ                ２７′，２８′…さん木
２９…ナット                      ３０…押さえ板
３１…水平鍔部                    ３２…ドーム部
３３…金属製帽子状体
３４…陥没部                      ３５…底板
３６…巻きリブ                    ３７…補強リブ
３８…貫通孔
４１…水平鍔部
４２…中空膨出部                  ４３…直線状部
４４…陥没部                      ４５…桟木
４６…軸足
【図１】
0004627927.tif 000002
【図２】
0004627927.tif 000003
【図３】
0004627927.tif 000004
【図４】
0004627927.tif 000005
【図５】
0004627927.tif 000006
【図６】
0004627927.tif 000007
【図７】
0004627927.tif 000008
【図８】
0004627927.tif 000009
【図９】
0004627927.tif 000010
【図１０】
0004627927.tif 000011
【図１１】
0004627927.tif 000012
【図１２】
0004627927.tif 000013
【図１３】
0004627927.tif 000014
【図１４】
0004627927.tif 000015
【図１５】
0004627927.tif 000016